(57)【要約】  空気調和機の室内機は、外郭を形成する筐体を有し、筐体は、右側面下部パネルと、下面右側部パネルと、左側面下部パネルと、下面左側部パネルと、を含んでおり、右側面下部パネル、下面右側部パネル、左側面下部パネル、および下面左側部パネルのそれぞれは、配管を引き出す配管通り口を有するものと、配管通り口を有しないものと、を備えており、右側面下部パネル、下面右側部パネル、左側面下部パネル、および下面左側部パネルのそれぞれのうちの、配管通り口を有するもの、または配管通り口を有しないもの、が選択的に取り付けられたものである。
2017138066.tif 000002
【特許請求の範囲】
【請求項１】
室外機と配管で接続される空気調和機の室内機であって、
外郭を形成する筐体を有し、
前記筐体は、該筐体の右側面の下部の一部分を形成する右側面下部パネルと、該筐体の下面の右側部の一部分を形成する下面右側部パネルと、該筐体の左側面の下部の一部分を形成する左側面下部パネルと、該筐体の下面の左側部の一部分を形成する下面左側部パネルと、を含んでおり、
前記右側面下部パネル、前記下面右側部パネル、前記左側面下部パネル、および前記下面左側部パネルのそれぞれは、前記配管を引き出す配管通り口を有するものと、前記配管通り口を有しないものと、を備えており、
前記右側面下部パネル、前記下面右側部パネル、前記左側面下部パネル、および前記下面左側部パネルのそれぞれのうちの、前記配管通り口を有するもの、または前記配管通り口を有しないもの、が選択的に取り付けられた、
空気調和機の室内機。
【請求項２】
前記右側面下部パネルと前記下面右側部パネルとが、前記筐体の右側面と下面とを含んで形成される右下角部の一部分を形成し、
前記左側面下部パネルと前記下面左側部パネルとが、前記筐体の左側面と下面とを含んで形成される左下角部の一部分を形成している、
請求項１に記載の空気調和機の室内機。
【請求項３】
室外機と配管で接続される空気調和機の室内機であって、
外郭を形成する筐体を有し、
前記筐体は、該筐体の右側面の下部の一部分を形成する右側面下部パネルと、該筐体の下面の右側部の一部分を形成する下面右側部パネルと、該筐体の左側面の下部の一部分を形成する左側面下部パネルと、該筐体の下面の左側部の一部分を形成する下面左側部パネルと、を含んでおり、
前記右側面下部パネル、前記下面右側部パネル、前記左側面下部パネル、および前記下面左側部パネルのそれぞれは、前記配管を引き出す配管通り口を有するものと、前記配管通り口を有しないものと、を備えており、
前記右側面下部パネルおよび前記下面右側部パネルのそれぞれの、前記配管通り口を有するもの、および前記配管通り口を有しないもの、が取り付けられた第１枠体と、
前記左側面下部パネルおよび前記下面左側部パネルのそれぞれの、前記配管通り口を有するもの、および前記配管通り口を有しないもの、が取り付けられた第２枠体と、をさらに有する、
空気調和機の室内機。
【請求項４】
前記第１枠体の厚みは、前記右側面下部パネルおよび前記下面右側部パネルのそれぞれの、前記配管通り口を有するもの、および前記配管通り口を有しないもの、の厚みよりも厚く、
前記第２枠体の厚みは、前記左側面下部パネルおよび前記下面左側部パネルのそれぞれの、前記配管通り口を有するもの、および前記配管通り口を有しないもの、の厚みよりも厚い、
請求項３に記載の空気調和機の室内機。
【請求項５】
前記第１枠体は、該第１枠体の厚み方向に該第１枠体同士を積層させるときに、該第１枠体同士を係止する係止部を有し、
前記第２枠体は、該第２枠体の厚み方向に該第２枠体同士を積層させるときに、該第２枠体同士を係止する係止部を有する、
請求項４に記載の空気調和機の室内機。
【請求項６】
前記第１枠体および前記第２枠体が貼り付けられた、
請求項３〜請求項５の何れか一項に記載の空気調和機の室内機。
【発明の詳細な説明】
【技術分野】
【０００１】
この発明は、右側面下部パネルと下面右側部パネルと左側面下部パネルと下面左側部パネルとを有する空気調和機の室内機に関する。
【背景技術】
【０００２】
従来から、筐体に、配管を引き出すための切り欠き板が形成された室内機が知られている（例えば、特許文献１参照）。特許文献１に記載されている従来の室内機では、切り欠き板を切り離した箇所から配管を引き出している。
【先行技術文献】
【特許文献】
【０００３】
【特許文献１】特開２００２−５４８２１号公報
【発明の概要】
【発明が解決しようとする課題】
【０００４】
しかしながら、特許文献１に記載されているような従来の室内機では、切り欠き板を切り離すときに利用される溝状の切り欠き境界線が、室内機の意匠面の複数の箇所に形成されているため、意匠性に関する課題がある。【０００５】
この発明は、上記のような課題を背景としてなされたものであり、意匠性が向上された空気調和機の室内機を得ることを目的としている。
【課題を解決するための手段】
【０００６】
この発明に係る空気調和機の室内機は、室外機と配管で接続される空気調和機の室内機であって、外郭を形成する筐体を有し、前記筐体は、該筐体の右側面の下部の一部分を形成する右側面下部パネルと、該筐体の下面の右側部の一部分を形成する下面右側部パネルと、該筐体の左側面の下部の一部分を形成する左側面下部パネルと、該筐体の下面の左側部の一部分を形成する下面左側部パネルと、を含んでおり、前記右側面下部パネル、前記下面右側部パネル、前記左側面下部パネル、および前記下面左側部パネルのそれぞれは、前記配管を引き出す配管通り口を有するものと、前記配管通り口を有しないものと、を備えており、前記右側面下部パネル、前記下面右側部パネル、前記左側面下部パネル、および前記下面左側部パネルのそれぞれのうちの、前記配管通り口を有するもの、または前記配管通り口を有しないもの、が選択的に取り付けられたものである。【０００７】
この発明によれば、配管通り口を有するパネルと、配管通り口を有しないパネルと、を配管の引き出し位置に応じて、選択的に取り付けることができるため、意匠性が向上された空気調和機の室内機が得られる。
【図面の簡単な説明】
【０００８】
【図１】この発明の実施の形態１に係る空気調和機の室内機を斜めから見た図である。
【図２】図１に記載の右側面下部パネルと下面右側部パネルとの組み合わせの一例を示す図である。
【図３】図１に記載の右側面下部パネルと下面右側部パネルとの組み合わせの他の一例を示す図である。
【図４】図１に記載の右側面下部パネルと下面右側部パネルとの組み合わせの他の一例を示す図である。
【図５】図１に記載の左側面下部パネルと下面左側部パネルとの組み合わせの一例を示す図である。
【図６】図１に記載の左側面下部パネルと下面左側部パネルとの組み合わせの他の一例を示す図である。
【図７】図１に記載の左側面下部パネルと下面左側部パネルとの組み合わせの他の一例を示す図である。
【図８】実施の形態１の比較例１である。
【図９】右側面下部パネルおよび下面右側部パネルが枠体に取り付けられた右下パネルキットを示す図である。
【図１０】図９に記載の右下パネルキットを積み重ねた状態を示す図である。
【図１１】図１０のＺ−Ｚ断面を模式的に記載した図である。
【図１２】右側面下部パネルと下面右側部パネルとの組み付けの一例について説明する図である。
【図１３】図１に記載の室内機の搬送時の梱包の状態を説明する図である。
【発明を実施するための形態】
【０００９】
以下、図面を参照して、この発明の実施の形態について説明する。なお、各図中、同一または相当する部分には、同一符号を付して、その説明を適宜省略または簡略化する。また、各図に記載の構成について、その形状、大きさおよび配置等は、この発明の範囲内で適宜変更することができる。
【００１０】
実施の形態１．
［空気調和機の室内機］
図１は、この発明の実施の形態１に係る空気調和機の室内機を斜めから見た図である。図１に記載の室内機１００は、図示を省略してある室外機と冷媒配管で接続され、部屋の内部の室内の空調を行うものである。室内機１００は、例えば部屋の壁等に取り付けられる。室内機１００は、室内機１００の外郭を形成する筐体１４を有している。筐体１４は、例えば背面ケース１と前面ケース４とを含んで形成されており、実質的に直方体の形状を有している。筐体１４には、例えば、図示を省略してある熱交換器、送風ファン、および電気品箱等が収容されている。前面ケース４は、背面ケース１に取り付けられている。前面ケース４には、吹出口５が形成されており、吹出口５には、風向きを調整する風向調整部材６が配設されている。例えば、送風ファンが動作することで、室内の空気が室内機１００に取り込まれ、取り込まれた空気が熱交換器で熱交換され、熱交換された空調空気が吹出口５から室内に吹き出される。
【００１１】
また、筐体１４は、右側面下部パネル１０、下面右側部パネル１１、左側面下部パネル８、および下面左側部パネル９を含んでいる。右側面下部パネル１０、下面右側部パネル１１、左側面下部パネル８、および下面左側部パネル９のそれぞれは、例えば、背面ケース１に取り付けられているが、前面ケース４に取り付けられるものであってもよい。
【００１２】
右側面下部パネル１０は、筐体１４の右側面の下部の一部分を形成するものである。下面右側部パネル１１は、筐体１４の下面の右側部の一部分を形成するものである。右側面下部パネル１０と下面右側部パネル１１とは、例えば、筐体１４の背面側の右側面と下面とを含んで形成される右下角部２の一部分を形成している。
【００１３】
左側面下部パネル８は、筐体１４の左側面の下部の一部分を形成するものである。下面左側部パネル９は、筐体１４の下面の左側部の一部分を形成するものである。左側面下部パネル８と下面左側部パネル９とは、例えば、筐体１４の背面側の左側面と下面とを含んで形成される左下角部３の一部分を形成している。
【００１４】
右側面下部パネル１０、下面右側部パネル１１、左側面下部パネル８、および下面左側部パネル９のそれぞれは、以下に説明するように、配管を引き出す配管通り口を有するものと、配管通り口を有しないものと、を含んでいる。右側面下部パネル１０、下面右側部パネル１１、左側面下部パネル８、および下面左側部パネル９のそれぞれは、配管の取り出し位置に応じて、配管通り口を有するもの、または配管通り口を有しないもの、が選択されて、室内機１００に取り付けられる。
【００１５】
［右側面下部パネルと下面右側部パネルとの組み合わせ］
図２は、図１に記載の右側面下部パネルと下面右側部パネルとの組み合わせの一例を示す図であり、図３は、図１に記載の右側面下部パネルと下面右側部パネルとの組み合わせの他の一例を示す図であり、図４は、図１に記載の右側面下部パネルと下面右側部パネルとの組み合わせの他の一例を示す図である。
【００１６】
図２〜図４に示すように、右側面下部パネル１０は、配管通り口が形成されていない第１右側面下部パネル１０Ａと、配管通り口２０が形成された第２右側面下部パネル１０Ｂと、を含んでいる。また、下面右側部パネル１１は、配管通り口が形成されていない第１下面右側部パネル１１Ａと、配管通り口２０が形成された第２下面右側部パネル１１Ｂと、を含んでいる。第１右側面下部パネル１０Ａおよび第２右側面下部パネル１０Ｂのそれぞれは、第１下面右側部パネル１１Ａまたは第２下面右側部パネル１１Ｂの何れとも組み付けられることができる。例えば、右側面下部パネル１０と下面右側部パネル１１とが組み付けられた状態で、右側面下部パネル１０および下面右側部パネル１１が室内機１００に取り付けられる。
【００１７】
例えば、図１に示すように、右下角部２から配管を引き出さない場合には、図２に示すように、第１右側面下部パネル１０Ａと第１下面右側部パネル１１Ａとの組み合わせが選択され、第１右側面下部パネル１０Ａおよび第１下面右側部パネル１１Ａが、室内機１００に取り付けられる。
なお、右下角部２の下面から配管を引き出す場合には、図３に示すように、第１右側面下部パネル１０Ａと第２下面右側部パネル１１Ｂとの組み合わせが選択され、第１右側面下部パネル１０Ａおよび第２下面右側部パネル１１Ｂが、室内機１００に取り付けられる。そして、第２下面右側部パネル１１Ｂの配管通り口２０から配管が引き出される。
また、右下角部２の右側面から配管を引き出す場合には、図４に示すように、第２右側面下部パネル１０Ｂと第１下面右側部パネル１１Ａとの組み合わせが選択され、第２右側面下部パネル１０Ｂおよび第１下面右側部パネル１１Ａが、室内機１００に取り付けられる。そして、第２右側面下部パネル１０Ｂの配管通り口２０から配管が引き出される。
【００１８】
［左側面下部パネルと下面左側部パネルとの組み合わせ］
図５は、図１に記載の左側面下部パネルと下面左側部パネルとの組み合わせの一例を示す図であり、図６は、図１に記載の左側面下部パネルと下面左側部パネルとの組み合わせの他の一例を示す図であり、図７は、図１に記載の左側面下部パネルと下面左側部パネルとの組み合わせの他の一例を示す図である。
【００１９】
図５〜図７に示すように、左側面下部パネル８は、配管通り口が形成されていない第１左側面下部パネル８Ａと、配管通り口２０が形成された第２左側面下部パネル８Ｂと、を含んでいる。また、下面左側部パネル９は、配管通り口が形成されていない第１下面左側部パネル９Ａと、配管通り口２０が形成された第２下面左側部パネル９Ｂと、を含んでいる。第１左側面下部パネル８Ａおよび第２左側面下部パネル８Ｂのそれぞれは、第１下面左側部パネル９Ａまたは第２下面左側部パネル９Ｂの何れとも組み付けられることができる。例えば、左側面下部パネル８と下面左側部パネル９とが組み付けられた状態で、左側面下部パネル８および下面左側部パネル９が室内機１００に取り付けられる。
【００２０】
例えば、図１に示すように、左下角部３から配管を引き出さない場合には、図５に示すように、第１左側面下部パネル８Ａと第１下面左側部パネル９Ａとの組み合わせが選択され、第１左側面下部パネル８Ａおよび第１下面左側部パネル９Ａが、室内機１００に取り付けられる。
なお、左下角部３の下面から配管を引き出す場合には、図６に示すように、第１左側面下部パネル８Ａと第２下面左側部パネル９Ｂとの組み合わせが選択され、第１左側面下部パネル８Ａおよび第２下面左側部パネル９Ｂが、室内機１００に取り付けられる。そして、第２下面左側部パネル９Ｂの配管通り口２０から配管が引き出される。
また、左下角部３の左側面から配管を引き出す場合には、図７に示すように、第２左側面下部パネル８Ｂと第１下面左側部パネル９Ａとの組み合わせが選択され、第２左側面下部パネル８Ｂおよび第１下面左側部パネル９Ａが、室内機１００に取り付けられる。そして、第２左側面下部パネル８Ｂの配管通り口２０から配管が引き出される。
【００２１】
［比較例１］
図８は、実施の形態１の比較例１である。図８に示す比較例１のＬ字形状カバー２００は、空気調和機の角部に取り付けられるものである。Ｌ字形状カバー２００は、第１切り欠き板２０２と第２切り欠き板２０４とを有している。比較例１では、第１切り欠き板２０２を有する面から配管を引き出す場合には、第１切り欠き板２０２を切り離すことで形成される穴から配管が引き出される。また、第２切り欠き板２０４を有する面から配管を引き出す場合には、第２切り欠き板２０４を切り離すことで形成される穴から配管が引き出される。比較例１のＬ字形状カバー２００は、第１切り欠き板２０２の切り離しに利用される溝状の第１切り欠き境界線２０３、および第２切り欠き板２０４の切り離しに利用される溝状の第２切り欠き境界線２０５が形成されている。第１切り欠き境界線２０３および第２切り欠き境界線２０５は、それらが形成された面から配管を引き出さない場合であっても、室内機の意匠面に存在するため、比較例１のＬ字形状カバー２００が取り付けられた室内機は、意匠性に関する課題がある。さらに、比較例１では、第１切り欠き板２０２または第２切り欠き板２０４を切り離す際に、ニッパー等の工具を用いて穴を開けるという煩雑な作業が必要となるという課題もある。
【００２２】
比較例１と比較して、この実施の形態の例に係る室内機１００は、図１〜図７に示すように、筐体１４の右側面の下部の一部分を形成する右側面下部パネル１０と、筐体１４の下面の右側部の一部分を形成する下面右側部パネル１１と、筐体１４の左側面の下部の一部分を形成する左側面下部パネル８と、筐体１４の下面の左側部の一部分を形成する下面左側部パネル９と、を含んでおり、右側面下部パネル１０、下面右側部パネル１１、左側面下部パネル８、および下面左側部パネル９のそれぞれは、配管を引き出す配管通り口２０を有するものと、配管通り口を有しないものと、を備えている。そして、この実施の形態の例に係る室内機１００では、配管の引き出し位置に応じて、配管通り口２０を有するパネル、または配管通り口を有しないパネルが、室内機１００に選択的に取り付けられる。したがって、この実施の形態の例の室内機１００は、配管を引き出さない面において、切り欠き境界線のような不必要且つ意匠性を損ねる形状が存在しないため、意匠性が向上されている。
【００２３】
さらに、この実施の形態の例に係る室内機１００は、配管通り口２０を有するパネルを選択的に取り付けるのみで配管通り口２０から配管を引き出すことができるため、例えば工具を用いて穴を形成するような煩雑な作業が省略されており、作業性が向上されている。
【００２４】
［右下パネルキット］
図９は、右側面下部パネルおよび下面右側部パネルが枠体に取り付けられた右下パネルキットを示す図であり、図１０は、図９に記載の右下パネルキットを積み重ねた状態を示す図であり、図１１は、図１０のＺ−Ｚ断面を模式的に記載した図である。なお、以下では、右側面下部パネル１０および下面右側部パネル１１が第１枠体１９ａに取り付けられた右下パネルキット１９についてのみの説明を行う。左側面下部パネル８および下面左側部パネル９が第２枠体に取り付けられた左下パネルキットについては、右下パネルキット１９と実質的に同じ構成であるため、説明を省略する。
【００２５】
図９に示すように、右下パネルキット１９は、第１枠体１９ａ、および第１枠体１９ａに取り付けられた第１右側面下部パネル１０Ａと第２右側面下部パネル１０Ｂと第１下面右側部パネル１１Ａと第２下面右側部パネル１１Ｂとを有している。右下パネルキット１９は、例えば、樹脂等を射出成形した成形品によって形成されており、第１右側面下部パネル１０Ａと第２右側面下部パネル１０Ｂと第１下面右側部パネル１１Ａと第２下面右側部パネル１１Ｂとを安価に形成することができる。第１右側面下部パネル１０Ａと第２右側面下部パネル１０Ｂと第１下面右側部パネル１１Ａと第２下面右側部パネル１１Ｂとは、第１枠体１９ａから、例えば、ニッパー等によって容易に切り離すことができる。
【００２６】
第１右側面下部パネル１０Ａおよび第２右側面下部パネル１０Ｂのそれぞれは、第１下面右側部パネル１１Ａまたは第２下面右側部パネル１１Ｂの組付部１１−１と組み付けるための組付部１０−１と、室内機１００に取り付けるための取付部１０−２と、を有している。第１下面右側部パネル１１Ａおよび第２下面右側部パネル１１Ｂのそれぞれは、第１右側面下部パネル１０Ａまたは第２右側面下部パネル１０Ｂの組付部１０−１と組み付けるための組付部１１−１と、室内機１００に取り付けるための取付部１１−２と、を有している。第１右側面下部パネル１０Ａおよび第２右側面下部パネル１０Ｂにおいて、組付部１０−１と取付部１０−２とが共通化されており、第１下面右側部パネル１１Ａおよび第２下面右側部パネル１１Ｂにおいて、組付部１１−１および取付部１１−２が共通化されているため、パネルの室内機への取り付けが容易化されている。
【００２７】
例えば、第１枠体１９ａの高さは、第１右側面下部パネル１０Ａ、第２右側面下部パネル１０Ｂ、第１下面右側部パネル１１Ａ、および第２下面右側部パネル１１Ｂの厚みよりも高くなっており、第１右側面下部パネル１０Ａ、第２右側面下部パネル１０Ｂ、第１下面右側部パネル１１Ａ、および第２下面右側部パネル１１Ｂが、第１枠体１９ａによって、擦れおよび衝撃等から保護されている。したがって、第１右側面下部パネル１０Ａ、第２右側面下部パネル１０Ｂ、第１下面右側部パネル１１Ａ、および第２下面右側部パネル１１Ｂの搬送および保管に必要となる緩衝材および梱包材等を、省略または簡略化することができる。
【００２８】
図１０に示すように、右下パネルキット１９は、複数を積み重ねることができるように形成されており、右下パネルキット１９を積み重ねた状態で、搬送および保管することができる。具体的には、図１１に示すように、第１枠体１９ａは、右下パネルキット１９を積み重ねて、第１枠体１９ａの高さ方向に第１枠体１９ａ同士を積層させたときに、第１枠体１９ａ同士を係止する係止部１９０を有している。係止部１９０は、例えば、第１枠体１９ａの外周面から内周面側に凹んで第１枠体１９ａの高さ方向に突出する第１係止部１９０ａと、第１枠体１９ａの内周面から外周面側に凹んで第１枠体１９ａの高さ方向に突出する第２係止部１９０ｂと、の段形状の組み合わせによって形成されている。そして、第１係止部１９０ａの突出高さが、第２係止部１９０ｂの突出高さよりも大きく形成されている。この実施の形態の例では、第１枠体１９ａが積層されることで、第１枠体１９ａ同士が係止された状態で、右下パネルキット１９を積み重ねることができるため、右下パネルキット１９の搬送および保管に必要となる緩衝材および梱包材等を、省略または簡略化することができる。
【００２９】
［右側面下部パネルと下面右側部パネルとの組み付け］
図１２は、右側面下部パネルと下面右側部パネルとの組み付けの一例について説明する図である。図１２に示すように、右側面下部パネル１０と下面右側部パネル１１とは、組付部１０−１と組付部１１−１とを組み合わせた状態で右側面下部パネル１０と下面右側部パネル１１とを相対的に回転させながら、右側面下部パネル１０と下面右側部パネル１１との角度を調整することで組み付けられる。そして、組み付けられた右側面下部パネル１０と下面右側部パネル１１とが、室内機１００に取り付けられる。
【００３０】
［室内機の搬送時の梱包］
図１３は、図１に記載の室内機の搬送時の梱包の状態を説明する図である。図１３に示すように、室内機１００は、搬送されるときに、左右のそれぞれに、側面、上面、下面、正面、および背面を覆う梱包材２２が取り付けられる。なお、図１３の例では、図示が省略されているが、室内機１００は、右側面下部パネル１０、下面右側部パネル１１、左側面下部パネル８、および下面左側部パネル９が取り付けられていない状態で、梱包材２２が取り付けられて搬送される。そして、右下パネルキット１９および左下パネルキット２９が、例えば、室内機１００との間に据付板２１を挟んだ状態で、室内機１００に粘着テープ２３で張り付けられる。据付板２１は、例えば金属で形成された板状の部材である。右下パネルキット１９は、室内機１００の上面の、左下パネルキット２９よりも右側に取り付けられ、左下パネルキット２９は、室内機１００の上面の、右下パネルキット１９よりも左側に取り付けられる。右下パネルキット１９が右側に取り付けられ、左下パネルキット２９が左側に取り付けられていた方が左右の関係性はわかりやすくなるが、これに限定するものではなく、逆に取り付けられていてもよい。そして、室内機１００は、左右に梱包材２２が取り付けられ、右下パネルキット１９および左下パネルキット２９が貼り付けられた状態で、例えば段ボール等の梱包箱に収容されて、保管および搬送される。ここで、右下パネルキット１９および左下パネルキット２９における枠体の高さが、梱包材２２の高さよりも低くなっている。このため、梱包材２２は、室内機１００だけでなく、右下パネルキット１９および左下パネルキット２９を、外部からの衝撃から保護することができる。上記のように、この実施の形態の例の室内機１００によれば、搬送時の右下パネルキット１９および左下パネルキット２９の梱包材および緩衝材を、省略または簡略化することができる。
【００３１】
この発明は、上記の実施の形態に限定されるものではなく、この発明の範囲内で種々に改変することができる。すなわち、上記の実施の形態の構成を適宜改良してもよく、また、少なくとも一部を他の構成に代替させてもよい。さらに、その配置について特に限定のない構成要件は、実施の形態で開示した配置に限らず、その機能を達成できる位置に配置することができる。
【符号の説明】
【００３２】
１  背面ケース、２  右下角部、３  左下角部、４  前面ケース、５  吹出口、６  風向調整部材、８  左側面下部パネル、８Ａ  第１左側面下部パネル、８Ｂ  第２左側面下部パネル、９  下面左側部パネル、９Ａ  第１下面左側部パネル、９Ｂ  第２下面左側部パネル、１０  右側面下部パネル、１０Ａ  第１右側面下部パネル、１０Ｂ  第２右側面下部パネル、１０−１  組付部、１０−２  取付部、１１  下面右側部パネル、１１Ａ  第１下面右側部パネル、１１Ｂ  第２下面右側部パネル、１１−１  組付部、１１−２  取付部、１４  筐体、１９  右下パネルキット、１９ａ  第１枠体、２０  配管通り口、２１  据付板、２２  梱包材、２３  粘着テープ、２９  左下パネルキット、１００  室内機、１９０  係止部、１９０ａ  第１係止部、１９０ｂ  第２係止部。
【図１】
2017138066.tif 000003
【図２】
2017138066.tif 000004
【図３】
2017138066.tif 000005
【図４】
2017138066.tif 000006
【図５】
2017138066.tif 000007
【図６】
2017138066.tif 000008
【図７】
2017138066.tif 000009
【図８】
2017138066.tif 000010
【図９】
2017138066.tif 000011
【図１０】
2017138066.tif 000012
【図１１】
2017138066.tif 000013
【図１２】
2017138066.tif 000014
【図１３】
2017138066.tif 000015
【手続補正書】
【提出日】平成30年5月17日(2018.5.17)
【手続補正１】
【補正対象書類名】明細書
【補正対象項目名】０００６
【補正方法】変更
【補正の内容】
【０００６】
この発明に係る空気調和機の室内機は、室外機と配管で接続される空気調和機の室内機であって、直方体形状の外郭を形成する筐体を有し、前記筐体は背面ケースを備えたものであり、前記筐体は、該筐体の右側面の下部を形成する右側面下部パネルと、該筐体の下面の右側部を形成する下面右側部パネルと、該筐体の左側面の下部を形成する左側面下部パネルと、該筐体の下面の左側部を形成する下面左側部パネルと、を含んでおり、前記右側面下部パネルに形成された組付部と、前記下面右側部パネルに形成された組付部とが組付けられたものが、前記背面ケースに取り付けられて前記筐体の右下角部を構成し、前記左側面下部パネルに形成された組付部と、前記下面左側部パネルに形成された組付部とが組付けられたものが、前記背面ケースに取り付けられて前記筐体の左下角部を構成し、前記右側面下部パネル、前記下面右側部パネル、前記左側面下部パネル、および前記下面左側部パネルのそれぞれは、前記配管を引き出す配管通り口を有するものと、前記配管通り口を有しないものと、を備えており、前記筐体の前記配管が通過する面には、前記配管通り口を有する、前記右側面下部パネル、前記下面右側部パネル、前記左側面下部パネル又は前記下面左側部パネルの何れかが、前記配管が通過する面の位置に応じて選択されて組み付けられ、前記筐体の前記配管が通過しない面には、前記配管通り口を有しない、前記右側面下部パネル、前記下面右側部パネル、前記左側面下部パネル又は前記下面左側部パネルが、前記配管が通過しない面の位置に応じて選択されて組み付けられるものである。
【手続補正２】
【補正対象書類名】特許請求の範囲
【補正対象項目名】全文
【補正方法】変更
【補正の内容】
【特許請求の範囲】
【請求項１】
室外機と配管で接続される空気調和機の室内機であって、
直方体形状の外郭を形成する筐体を有し、前記筐体は背面ケースを備えたものであり、
前記筐体は、該筐体の右側面の下部を形成する右側面下部パネルと、該筐体の下面の右側部を形成する下面右側部パネルと、該筐体の左側面の下部を形成する左側面下部パネルと、該筐体の下面の左側部を形成する下面左側部パネルと、を含んでおり、
前記右側面下部パネルに形成された組付部と、前記下面右側部パネルに形成された組付部とが組付けられたものが、前記背面ケースに取り付けられて前記筐体の右下角部を構成し、
前記左側面下部パネルに形成された組付部と、前記下面左側部パネルに形成された組付部とが組付けられたものが、前記背面ケースに取り付けられて前記筐体の左下角部を構成し、
前記右側面下部パネル、前記下面右側部パネル、前記左側面下部パネル、および前記下面左側部パネルのそれぞれは、前記配管を引き出す配管通り口を有するものと、前記配管通り口を有しないものと、を備えており、
前記筐体の前記配管が通過する面には、前記配管通り口を有する、前記右側面下部パネル、前記下面右側部パネル、前記左側面下部パネル又は前記下面左側部パネルの何れかが、前記配管が通過する面の位置に応じて選択されて組み付けられ、
前記筐体の前記配管が通過しない面には、前記配管通り口を有しない、前記右側面下部パネル、前記下面右側部パネル、前記左側面下部パネル又は前記下面左側部パネルが、前記配管が通過しない面の位置に応じて選択されて組み付けられる、
空気調和機の室内機。
【請求項２】
室外機と配管で接続される空気調和機の室内機であって、
直方体形状の外郭を形成する筐体を有し、前記筐体は背面ケースを備えたものであり、右下パネルキットと左下パネルキットとを備え、
前記右下パネルキットは、
前記筐体の右側面の下部を形成する右側面下部パネル、及び該筐体の下面の右側部を形成する下面右側部パネルと、
前記右側面下部パネル及び前記下面右側部パネルが取り付けられた第１枠体と、
を備え、前記右側面下部パネル及び前記下面右側部パネルは、前記配管を引き出す配管通り口を有するものと前記配管通り口を有しないものとをそれぞれ含み、
前記左下パネルキットは、
前記筐体の左側面の下部を形成する左側面下部パネル、及び前記筐体の下面の左側部を形成する下面左側部パネルと、
前記左側面下部パネル及び前記下面左側部パネルが取り付けられた第２枠体と、
を備え、前記左側面下部パネル及び前記下面左側部パネルは、前記配管を引き出す配管通り口を有するものと前記配管通り口を有しないものとをそれぞれ含み、
梱包状態においては、前記右側面下部パネル、前記下面右側部パネル、前記左側面下部パネル及び前記下面左側部パネルは、前記背面ケースに取り付けられていない、
空気調和機の室内機。
【国際調査報告】
2017138066.tif 000016
2017138066.tif 000017
2017138066.tif 000018
2017138066.tif 000019